(57)【要約】【課題】少なくとも２種類の指標部を有する場合において指示する指標部に対応して指針の発光領域を切替可能な表示装置を提供する。【解決手段】表示装置は指針と表示板とを備える。指針は、回転軸線を中心として径方向外側に対して長さの異なるそれぞれ発光する二つの導光体を積層関係に配置して構成されている。表示装置は、二つの導光体に対する照明光の導光を制御して指針を相対的に長さの短い短針部、長さの長い長針部として発光させる制御部５０ａを備える。表示板は、短針部により指示され照明光により発光するパワーメータ指標部および長針部により指示され照明光により発光するタコメータ指標部を有する。制御部５０ａは、短針部およびパワーメータ指標部との組合せに基づくパワーメータ表示モードと、長針部およびタコメータ指標部との組合せに基づくタコメータ表示モードとの間で表示モードを切り替えるモード切替部５０ａ１を有する。【選択図】図６
2020016540.tif 000002
【特許請求の範囲】
【請求項１】
回転軸線（Ｒａ）周りに回転する指針であって、前記回転軸線を中心として径方向外側に対して異なる長さを有しており、照明光によりそれぞれ発光する二つの導光体を積層関係に配置して構成された指針（１００）と、
前記指針の長さの異なる二つの前記導光体に対する照明光の導光を制御することにより、前記指針を相対的に長さの短い短針部、長さの長い長針部として発光させる制御部（５０ａ）と、
前記短針部によって指示されるとともに、照明光の導光によって発光する短針側指標部（２１）および前記長針部によって指示されるとともに、照明光の導光によって発光する長針側指標部（２２）を有する表示板（２０）と、
を備え、
前記制御部は、
前記短針部および前記短針側指標部との組合せに基づく表示モードと、前記長針部および前記長針側指標部との組合せに基づく表示モードとの間で表示モードを切り替えるモード切替部（５０ａ１）を有する表示装置。
【請求項２】
前記制御部は、
前記表示モードを切り替える際に、切替前の表示モードに対応した前記指針の回動制御から切替後の表示モードに対応した前記指針の回動制御に移行する移行処理を実行する指針制御部（５０ａ３）と、
前記移行処理が終了したか否かを判定する移行判定部（５０ａ４）と、
を有し、
前記モード切替部は、
前記表示モードを切り替える際に、前記移行処理が終了したと判定されるまで、前記指針を消灯する請求項１に記載の表示装置。
【請求項３】
前記モード切替部は、
前記表示モードを切り替える際に、前記指針の発光を維持した状態で前記表示モードの切り替えを実行する請求項１に記載の表示装置。
【発明の詳細な説明】
【技術分野】
【０００１】
この明細書における開示は、表示装置に関する。
【背景技術】
【０００２】
特許文献１には、指針により文字盤に形成された２種類の指標を指示する指針計器が開示されている。この指針計器は、指針と、指針の回動軌跡に沿って形成された第１指標部と、第１指標部の内側に形成された第２指標部とを備える。さらに指針計器は、指針を発光表示させる指針光源と、第１指標部を照明する第１光源と、第２指標部を照明する第２光源とを備える。指針計器は、第１指標部を指示する場合に第１光源を点灯させ、第２指標部を指示する場合に第２光源を点灯させる。指針計器は、第１指標部を指示する場合と第２指標部を指示する場合とで同様に指針光源を点灯し、指針を発光表示させる。
【先行技術文献】
【特許文献】
【０００３】
【特許文献１】特開２００９‐１２８２４２号公報
【発明の概要】
【発明が解決しようとする課題】
【０００４】
特許文献１の技術では、第１指標部を指示する場合と、第２指標部を指示する場合とで、指針の発光状態は同様である。すなわち指針は、いずれの指標部を指示する場合においても同じ領域が発光する。したがって特許文献１の技術では、指針の発光領域を、指示する指標部に対応して切り替えることができなかった。
【０００５】
開示される目的は、少なくとも２種類の指標部を有する場合において、指示する指標部に対応して指針の発光領域を切替可能な表示装置を提供することである。
【課題を解決するための手段】
【０００６】
この明細書に開示された複数の態様は、それぞれの目的を達成するために、互いに異なる技術的手段を採用する。また、特許請求の範囲およびこの項に記載した括弧内の符号は、ひとつの態様として後述する実施形態に記載の具体的手段との対応関係を示す一例であって、技術的範囲を限定するものではない。
【０００７】
開示された表示装置のひとつは回転軸線（Ｒａ）周りに回転する指針であって、回転軸線を中心として径方向外側に対して異なる長さを有しており、照明光によりそれぞれ発光する二つの導光体を積層関係に配置して構成された指針（１００）と、指針の長さの異なる二つの導光体に対する照明光の導光を制御することにより、指針を相対的に長さの短い短針部、長さの長い長針部として発光、制御させる制御部（５０ａ）と、短針部によって指示されるとともに、照明光の導光によって発光する短針側指標部（２１）および長針部によって指示されるとともに、照明光の導光によって発光する長針側指標部（２２）を有する表示板（２０）と、を備え、制御部は、短針部および短針側指標部との組合せに基づく表示モードと、長針部および長針側指標部との組合せに基づく表示モードとの間で表示モードを切り替えるモード切替部（５０ａ１）を有する。
【０００８】
この開示によれば、発光する短針部にて発光する短針側指標部を指示する。また、発光する長針部にて発光する長針側指標部を指示する。そして、表示装置は、短針部と長針部とに基づく指標部の指示表示モードを切り替えることで、指示する指標部に対応して指針の発光領域を切替可能な表示装置を提供することができる。
【図面の簡単な説明】
【０００９】
【図１】第１実施形態に係る表示装置の正面図である。
【図２】図１のＩＩ‐ＩＩ線断面図である。
【図３】指針導光体を視認側から見た図である。
【図４】図３のＩＶ‐ＩＶ線断面図である。
【図５】指針導光体を反視認側から見た図である。
【図６】表示装置の制御構成を示すブロック図である。
【図７】第１実施形態における表示装置の表示領域を示す図である。
【図８】パワーメータ表示モードにおける表示領域の発光状態を示す図である。
【図９】タコメータ表示モードにおける表示領域の発光状態を示す図である。
【図１０】車両起動時の照明制御を示すフローチャートである。
【図１１】パワーメータ表示モードにおける車両起動時の照明制御のタイミングチャートである。
【図１２】タコメータ表示モードにおける車両起動時の照明制御のタイミングチャートである。
【図１３】モード切替制御を示すフローチャートである。
【図１４】モード切替制御を示すタイミングチャートである。
【図１５】車両停止時の照明制御を示すフローチャートである。
【図１６】パワーメータ表示モードにおける車両停止時の照明制御のタイミングチャートである。
【図１７】タコメータ表示モードにおける車両停止時の照明制御のタイミングチャートである。
【図１８】第２実施形態におけるモード切替制御を示すフローチャートである。
【図１９】第２実施形態におけるモード切替制御を示すタイミングチャートである。
【発明を実施するための形態】
【００１０】
（第１実施形態）
第１実施形態の表示装置１について、図１〜図１７を参照しながら説明する。表示装置１は、車両のコンビネーションメータとして提供される。表示装置１は、車両の運転席の前方で、表示面２０ａを運転席に向けて取り付けられている。以下において表示面２０ａに垂直な方向を奥行方向とし、奥行方向における運転席側を視認側、視認側と反対側を反視認側と表記する。表示装置１は、運転席に着座した乗員に対して種々の情報を表示する表示機能を提供する。表示装置１は、表示機能の一例として、エンジン回転数を表示するタコメータとしての機能と、モータへの電力の出力状態やモータからの電力の回生状態を表示するパワーメータとしての機能とを有する。
【００１１】
表示装置１は、回転軸線Ｒａ周りに回転する指針１００、表示面２０ａを有する表示板２０、内周表示導光体３０、外周表示導光体４０、基板５０およびこれらを収容する筐体７０を備えている。以下の説明において、回転軸線Ｒａを中心とした円周方向および径方向を、単に「周方向」および「径方向」と表記する。また、回転軸線Ｒａの延びる方向を単に「軸方向」と表記する。
【００１２】
筐体７０は、図２に示すようにガラス板７１、見返し板７２、アッパケース部７３およびロアケース部７４を備えて構成されている。ガラス板７１は、透光性の合成樹脂等により湾曲した板状に形成されている。ガラス板７１は、見返し板７２の視認側の開口を覆うように見返し板７２に対して取り付けられている。第１実施形態のガラス板７１は、例えば黒またはグレーに着色されて所定の透過率で光を透過させるスモークガラスとして提供される。
【００１３】
見返し板７２は、例えば合成樹脂等により形成され、表示面２０ａを全周取り囲む筒状に形成されている。見返し板７２は、例えば表示領域を挟んで下方側の部分が、上方側の部分よりもより視認側に張り出すように形成されている。見返し板７２は、表示板２０の外縁部分を視認側から抑え込み、アッパケース部７３に対して固定している。
【００１４】
アッパケース部７３は、例えば遮光性の合成樹脂等により形成されている。アッパケースは、見返し板７２とロアケース部７４との間で、収容された構成部品を取り囲んでいる。
【００１５】
ロアケース部７４は、例えばアッパケース部７３と同様に遮光性の合成樹脂等により形成されている。ロアケース部７４は、表示装置１の反視認側を覆う部材であり、基板５０等を反視認側から保持している。
【００１６】
指針１００は、回転軸線Ｒａ周りに回転して表示板２０上を指示する。指針１００は、指針導光体１０と、指針キャップ１９とを有している。
【００１７】
指針導光体１０は、透光性を有する材料によって形成されている。図３〜図５に示すように、指針導光体１０は、軸部１１と、回動中心部１２と、指示部１３とを有して形成されている。指針導光体１０は、長針部１５の形成された導光体と、短針部１４の形成された導光体とを奥行方向に積層することで形成されている。この二つの導光体は、回転軸線Ｒａを中心として径方向外側に異なる長さを有するように形成されている。
【００１８】
軸部１１は、奥行方向に延びる略円柱形状に形成されている。軸部１１は、表示板２０を奥行方向に貫通する配置で設けられている。軸部１１の中心軸線は、指針１００の回転軸線Ｒａと略一致している。換言すれば、軸部１１は指針１００の回転軸である。
【００１９】
回動中心部１２は、軸部１１の視認側の端部に設けられた部分である。回動中心部１２は、奥行方向の投影視で円形状であり、その中心が軸部１１の軸心と略一致している。回動中心部１２には、短針反射面１２ａと、長針反射面１２ｂとが形成されている。
【００２０】
短針反射面１２ａは、回動中心部１２において、奥行方向に軸部１１を投影した範囲よりも径方向で外側に形成された傾斜面である。短針反射面１２ａは、図４に示すように、反視認側から視認側に向かうにつれて回転軸線Ｒａに接近するように、軸方向および指示部１３の延伸方向に対して傾斜している。短針反射面１２ａは、反視認側から回動中心部１２に入射した照明光を、指示部１３に向けて反射する反射面を提供する。
【００２１】
長針反射面１２ｂは、短針反射面１２ａよりも視認側で回動中心部１２の中心付近に形成された傾斜面である。長針反射面１２ｂは、図４に示すように、反視認側から視認側に向かうにつれて指示部１３に接近するように、軸方向および指示部１３の延伸方向に対して傾斜している。長針反射面１２ｂは、軸部１１から回動中心部１２に進入した照明光を指示部１３に向けて反射する反射面を提供する。
【００２２】
指示部１３は、回動中心部１２から径方向外側に突出するように延伸した部分である。指示部１３は、延伸方向先端側に向かうにつれて幅寸法が徐々に小さくなる針状に形成されている。指示部１３は、短針部１４と長針部１５を有して形成されている。
【００２３】
短針部１４は、段差面１６と短針底部１４ａとを有する。短針底部１４ａは、短針部１４において指示部１３の反視認側の面を提供する。短針底部１４ａは、回動中心部１２における短針反射面１２ａの反視認側の端部と奥行方向において略同じ位置となっている。短針底部１４ａには、その全長に亘って微細加工に基づく反射部１４ｂが施されており、短針反射面１２ａから反射された照明光を視認側に反射可能である。短針部１４は、照明光を反射部１４ｂにて反射することで発光する。反射部１４ｂは、図４に示すように、短針底部１４ａの外表面から内側に向かって形成された微細な多数の断面三角柱状の凹部の集合体によって構成されており、短針部１４に導光された照明光をその凹部の斜面にて視認側へ反射するものである。この凹部の集合体は照明光が消灯されている場合には人の目に見えない程度の大きさに設定されている。
【００２４】
段差面１６は、指示部１３の反視認側の面に形成されている。段差面１６は、短針反射面１２ａから反射された照明光が長針部１５に進入することを抑制する。段差面１６は、短針部１４の先端を規定している。
【００２５】
長針部１５は、その自由端が短針部１４の段差面１６よりも径方向外側まで延出し、短針部１４よりも相対的に長い寸法を有している。長針部１５は、径方向でタコメータ指標部２２における目盛指標の大部分と重なる範囲まで延びている。長針部１５の先端は目盛指標の外周端部よりわずかに径方向内側に位置する。短針部１４と長針部１５とは別の導光体で構成されていて積層関係に配置されており、短針部１４と長針部１５とが接している面はそれぞれ鏡面に形成されている。
【００２６】
長針部１５の底部である長針底部１５ａには、短針底部１４ａと同様に微細加工に基づく反射部１５ｂが施されている。反射部１５ｂは、長針底部１５ａの略全長に亘って設けられている。より具体的には、反射部１５ｂは、長針底部１５ａのうち短針部１４の段差面１６から延出する自由端側の領域も含めて、軸部１１に接続される領域を除いた短針部１４と対面する領域に亘って施されている。長針底部１５ａは、長針反射面１２ｂの反視認側の端部と奥行方向で略同じ位置に形成されている。長針部１５は、長針反射面１２ｂにて反射された軸部光源５２からの照明光を反射部１５ｂにて視認側へと反射させることで発光する。
【００２７】
指針キャップ１９は、黒色に着色されたポリプロピレン樹脂やＡＢＳ樹脂などの遮光性の樹脂材料により有底の円筒状に形成されている。指針キャップ１９は、開口を反視認側に向けて回動中心部１２を覆っている。
【００２８】
指針キャップ１９の背面には二つの図示しないピンが形成されている。そして、短針部１４および長針部１５のうち軸部１１側に位置する回動中心部１２には図３、図５に示すように軸部１１を挟んで対向する位置に貫通孔１２ｃが二つ形成されている。短針部１４および長針部１５は、この貫通孔１２ｃに指針キャップ１９のピンを通して貫通孔１２ｃから露出したピンの先端を熱かしめすることによって、指針キャップ１９に固定されるとともに、短針部１４および長針部１５同士が互いに位置ずれすることなく固定される。
【００２９】
表示板２０は、例えば合成樹脂材料等からなる透光性の基材を成形することで形成されている。表示板２０は、全体として略平板状に形成されている。表示板２０には、指針１００の軸部１１が挿通される開口部２０ｂが形成されている。表示板２０には、パワーメータ指標部２１と、タコメータ指標部２２とが形成されている。
【００３０】
パワーメータ指標部２１およびタコメータ指標部２２は、透光性の塗料を用いた印刷等により形成されている。パワーメータ指標部２１は、指針１００の軸部１１周りに円弧状に配列されるように形成されている。パワーメータ指標部２１は、例えば出力電力量および回生電力量を示す目盛指標と、目盛指標の内周側で電力量のレベルを区分して示すゾーン指標とを含む。パワーメータ指標部２１は、短針側指標部の一例である。
【００３１】
タコメータ指標部２２は、パワーメータ指標部２１よりも外周側に設けられている。タコメータ指標部２２は、パワーメータ指標部２１と略一致する周方向範囲において、指針１００の軸部周りに円弧状に配列されるように形成されている。タコメータ指標部２２は、エンジンの回転数を示す目盛指標および数字指標を含む。タコメータ指標部２２は、長針側指標部の一例である。
【００３２】
内周表示導光体３０は、複数の光導入部３１と、内周照明板部３２と、射出端部３３とを有している。光導入部３１は、内周照明板部３２の反視認側の面から反視認側へと延びる柱状に形成されている。複数の光導入部３１の端部は、それぞれ対応する内周光源５３に近接している。光導入部３１は、内周光源５３から射出された照明光を内周照明板部３２へと導く。
【００３３】
内周照明板部３２は、表示板２０の反視認側の面に沿って広がるように形成されている。内周照明板部３２は、例えば一部が欠けた円環平板状に形成されており、表示板２０におけるパワーメータ指標部２１が形成された領域を反視認側から覆うように配置されている。内周照明板部３２は、光導入部３１から導入された照明光の一部を視認側の面から射出しつつ残りを射出端部３３へ導く。内周照明板部３２は、視認側の面から照明光を射出することで、パワーメータ指標部２１を照明する。
【００３４】
射出端部３３は、内周照明板部３２における指針１００の軸部１１側の端部である。射出端部３３は、表示板２０の開口部２０ｂよりも径方向で軸部１１に近接するように形成されている。射出端部３３には、内周照明板部３２の内部を導光した照明光を、視認側へと反射する反射面が形成されている。射出端部３３は、反射面にて照明光を視認側へと反射させ、指針１００の回動中心部１２へと射出する。
【００３５】
外周表示導光体４０は、複数の光導入部４１と、外周照明板部４２を有している。光導入部４１は、外周照明板部４２の外周端部から反視認側に延びる柱状に形成されている。複数の光導入部４１の端部は、それぞれ対応する外周光源５４に近接している。光導入部４１は、外周光源５４から射出された照明光を外周照明板部４２へと導く。
【００３６】
外周照明板部４２は、表示板２０の反視認側の面に沿って広がるように形成されている。外周照明板部４２は、例えば一部が欠けた円環平板状に形成されており、表示板２０におけるタコメータ指標部２２が形成された領域を反視認側から覆うように配置されている。すなわち外周照明板部４２は、内周照明板部３２の外周を取り囲むように配置されている。外周照明板部４２は、光導入部４１から導入された照明光を内部で導光しつつ視認側の面から射出する。外周照明板部４２は、照明光の射出によってタコメータ指標部２２を照明する。
【００３７】
アッパケース部７３は、内周表示導光体３０と外周表示導光体４０との間に遮光壁部７３ａを有している。遮光壁部７３ａの視認側の端部は、表示板２０の反視認側の面に接触し、反視認側の端部は、基板５０の視認側の面に接触している。遮光壁部７３ａは、表示板２０と基板５０との間の空間を、径方向に区画している。遮光壁部７３ａによって区画された空間のうち内周側には内周光源５３および内周表示導光体３０が収容され、外周側には外周光源５４および外周表示導光体４０が収容される。遮光壁部７３ａは、外周表示導光体４０および外周光源５４から射出された照明光の内周表示導光体３０への進入と、内周表示導光体３０および内周光源５３から射出された照明光の外周表示導光体４０への進入をそれぞれ防ぐ。
【００３８】
基板５０は、樹脂やセラミックスなどの絶縁材料により平板状に形成された絶縁基材に、銅などの導電性材料による配線パターンを設けたプリント配線基板である。基板５０は、一面を視認側に向け、他面を反視認側に向ける姿勢で表示導光体３０、４０の反視認側に配置されている。基板５０には、ステッパモータ５１、軸部光源５２、複数の内周光源５３、複数の外周光源５４および制御部５０ａが設けられている。
【００３９】
ステッパモータ５１は、指針１００を回動させるモータである。ステッパモータ５１は、基板５０の視認側の面上に設けられ、指針１００の軸部１１と連結されている。ステッパモータ５１は、制御部５０ａと電気的に接続され、制御部５０ａによってその駆動を制御される。ステッパモータ５１は、軸部１１を回転駆動することで、指針１００全体を回転軸線Ｒａ周りに回動させる。
【００４０】
軸部光源５２、複数の内周光源５３、複数の外周光源５４は、それぞれＬＥＤ（発光ダイオード）によって提供される。光源５２、５３、５４は、それぞれ基板５０の視認側の面上に設けられている。光源５２、５３、５４は、それぞれ制御部５０ａと電気的に接続されており、制御部５０ａによってその点灯および消灯を制御される。
【００４１】
軸部光源５２は、軸部１１の反視認側の端部と対向する位置に設けられている。軸部光源５２は、長針部１５を発光させる照明光を射出する。軸部光源５２は、長針光源の一例である。
【００４２】
複数の内周光源５３は、それぞれ内周表示導光体３０における光導入部３１の反視認側の端部と対向する位置に設けられている。複数の内周光源５３は、パワーメータ指標部２１を発光させる照明光を射出する光源の一例であるとともに、指針１００の短針部１４を発光させる照明光を射出する短針光源の一例でもある。
【００４３】
複数の外周光源５４は、それぞれ外周表示導光体４０における光導入部４１の反視認側の端部と対向する位置に設けられている。複数の外周光源５４は、タコメータ指標部２２を発光させる照明光を射出する光源の一例である。
【００４４】
制御部５０ａは、例えばマイクロコントローラなどにより構成されている。制御部５０ａは、車両で用いられているエンジンＥＣＵやボデーＥＣＵなどから表示装置１に表示させる車両情報を取得する。制御部５０ａは、車両情報に従って、ステッパモータ５１の回転制御および光源５２、５３、５４の輝度制御などを行う。制御部５０ａは、光源５２、５３の点灯、消灯を切り替えることで、指針１００の長針部１５が形成された導光体に対する導光、短針部１４が形成された導光体に対する導光を制御可能である。制御部５０ａは、これにより指針１００を相対的に長さの長い長針部１５、長さの短い短針部１４としてそれぞれ発光させることができる。制御部５０ａは図６に示すように機能ブロックとしてモード切替部５０ａ１を有する。
【００４５】
モード切替部５０ａ１は、表示モードを設定する。モード切替部５０ａ１は、乗員のボタン操作等によって入力された切替トリガ信号に基づいて、表示モードの設定をパワーメータ表示モードとタコメータ表示モードとで切り替える。
【００４６】
モード切替部５０ａ１は、より細かい機能ブロックとして光源制御部５０ａ２と指針制御部５０ａ３と、移行判定部５０ａ４とを有する。光源制御部５０ａ２は、光源５２、５３、５４の輝度を制御する。光源制御部５０ａ２は、モード切替部５０ａ１にて設定された表示モードに基づいて、各光源の点灯、消灯を切り替える。
【００４７】
指針制御部５０ａ３は、モード切替部５０ａ１にて設定された表示モードに基づいて、指針１００の制御を切り替える。すなわち、パワーメータ表示モードが設定された場合には、電力量に基づいた指針１００の回動制御を実行し、タコメータ表示モードが設定された場合には、エンジン回転数に基づいた回動制御を実行する。指針制御部５０ａ３は、表示モードの設定が切り替わった際に、切替前の表示モードに対応した指針１００の回動制御から切替後の表示モードに対応した指針１００の回動制御に移行する移行処理を実行する。
【００４８】
移行判定部５０ａ４は、指針制御部５０ａ３における移行処理が終了したか否かを判定する。移行判定部５０ａ４は、例えば表示モードを設定が切り替わった時点から、予め設定された時間が経過したか否かに基づいて、移行処理の終了を判定する。または移行判定部５０ａ４は、ステッパモータ５１の回転角をセンサ等により検出することで移行処理の終了を判定してもよい。
【００４９】
ここまで説明した表示装置１におけるパワーメータ表示モードおよびタコメータ表示モードの各発光状態を図７〜図９を参照して順に説明する。
【００５０】
パワーメータ表示モードでは、内周光源５３が点灯し、且つ軸部光源５２および外周光源５４は消灯する。内周光源５３から射出された照明光は、内周表示導光体３０内を導光され、一部は内周照明板部３２から視認側に射出されてパワーメータ指標部２１を発光させる。内周光源５３から射出された照明光の残りは、射出端部３３から回動中心部１２へと入射し、短針反射面１２ａにて反射されて指示部１３へと向かう。指示部１３を導光する照明光は、全体として段差面１６側へと向かいつつ短針底部１４ａの反射部１４ｂにて反射される。反射された照明光は、長針部１５のうち短針底部１４ａと対向する領域を通過して視認側へと指向される。一方で段差面１６に到達した照明光は、短針底部１４ａの方向へ戻されるため、段差面１６によって長針部１５の短針部１４よりも径方向外側へ延出した部分への進入を阻害される。また、短針反射面１２ａを反射して短針部１４に入射した照明光は短針部１４の上述の鏡面によってほとんど全反射されて短針底部１４ａの方向に偏向されるため、照明光の一部が長針部１５に入射することはない。
【００５１】
したがってパワーメータ表示モードでは、図８に示すように、パワーメータ指標部２１および短針部１４が発光し、タコメータ指標部２２および長針部１５は発光しない。これにより、発光するパワーメータ指標部２１が発光する短針部１４の先端によって指示される。すなわち、指針１００における短針部１４までの発光と表示板２０におけるパワーメータ指標部２１の発光とが組み合わされ、表示領域をパワーメータとして視認可能となる。パワーメータ表示モードは、短針部１４および短針側指標部との組合せに基づく表示モードの一例である。
【００５２】
タコメータ表示モードでは、軸部光源５２および外周光源５４が点灯し、且つ内周光源５３は消灯する。外周光源５４から射出された照明光は、外周表示導光体４０内を導光され、外周照明板部４２から視認側に射出されてタコメータ指標部２２を発光させる。一方、軸部光源５２から射出された照明光は、軸部１１内を全反射しながら視認側へと向かい回動中心部１２へと入射し、長針反射面１２ｂにて反射されて指示部１３へと向かう。指示部１３を導光する照明光は、全体として長針部１５の先端側へと向かいつつその反射部１５ｂで視認側へと反射される。
【００５３】
したがってタコメータ表示モードでは、図９に示すように、タコメータ指標部２２が発光する。さらに、軸部光源５２からの照明光によって短針部１４および長針部１５がともに発光し、タコメータ指標部２２は発光しない。これにより、発光するタコメータ指標部２２が発光する長針部１５の先端によって指示される。すなわち、指針１００における長針部１５までの発光と表示板２０におけるタコメータ指標部２２の発光とが組み合わされ、表示領域をタコメータとして視認可能となる。タコメータ表示モードは、長針部１５および長針側指標部との組合せに基づく表示モードの一例である。
【００５４】
次に、第１実施形態において制御部５０ａが実行する制御について、図１０〜図１７を参照しながら説明する。まず、車両の起動時に制御部５０ａが実行する照明制御を図１０〜図１２を用いて説明する。
【００５５】
ステップＳ１０で、イグニッションがＯＮ状態であるか否かを判定する。ＯＮ状態であると判定すると、ステップＳ１１へと進む。
【００５６】
ステップＳ１１では、表示モードがパワーメータ表示モードに設定されているか否かを判定する。パワーメータ表示モードに設定されていると判定すると、ステップＳ１２へと進む。
【００５７】
ステップＳ１２では、イグニッションがＯＦＦからＯＮへと切り替わった時点、すなわち車両が停止状態から起動状態に切り替わった時点からの経過時間ｔが、所定時間ｔｓ１に到達したか否かを判定する。ステップＳ１２の判定処理は、経過時間ｔが所定時間ｔｓ１に到達するまで繰り返される。経過時間ｔが所定時間ｔｓ１に到達したと判定した場合には、ステップＳ１３へと進む。
【００５８】
ステップＳ１３では、内周光源５３を点灯する。これにより、指針１００の短針部１４とパワーメータ指標部２１が同時に発光を開始する。なおこのとき外周光源５４および軸部光源５２は消灯状態である。これによりパワーメータ表示モードでの発光表示が開始される。ステップＳ１３の処理を実行後、図１０のフローチャートの処理が終了される。
【００５９】
一方ステップＳ１１にて表示モードがパワーメータ表示モードに設定されていない、すなわちタコメータ表示モードに設定されていると判定された場合には、ステップＳ１４へと進む。ステップＳ１４では、ステップＳ１２と同様に、経過時間ｔが所定時間ｔｓ１に到達したか否かを判定する。所定時間ｔｓ１に到達したと判定されると、ステップＳ１５へと進む。
【００６０】
ステップＳ１５では、軸部光源５２を点灯させる処理を実行する。これにより、指針１００の指示部１３が根元から長針部１５の先端まで発光する。なおこのとき、内周光源５３および外周光源５４は消灯状態である。このため、ステップＳ１５の処理を実行した時点では、表示領域内において指針１００のみが発光により視認可能な状態となる。ステップＳ１５の処理を実行すると、ステップＳ１６へと進む。
【００６１】
ステップＳ１６では、経過時間ｔが、ｔｓ１＋ｔｓ２に到達したか否かを判定する。換言すれば、ステップＳ１６では、軸部光源５２を点灯した時点からｔｓ２だけ時間が経過したか否かを判定する。ステップＳ１６の判定処理は、経過時間ｔがｔｓ１＋ｔｓ２に到達するまで繰り返し実行される。到達したと判定された場合には、ステップＳ１７へと進む。
【００６２】
ステップＳ１７では、外周光源５４を点灯し、タコメータ指標部２２を発光させる。ステップＳ１７の処理を実行した後、図１０のフローチャートを終了する。
【００６３】
これにより、長針部１５までの発光により指針１００の発光から時間ｔｓ２だけ遅れて、タコメータ指標部２２が発光する。ステップＳ１５〜ステップＳ１７の処理により、タコメータ表示モードが実現される。また、ステップＳ１６の処理によって指針１００の発光開始からｔｓ２だけ遅れてタコメータ指標部２２が発光するため、先に指針１００だけが発光して視認される斬新な照明が提供される。
【００６４】
図１０のフローチャートの実行に伴う各光源５２、５３、５４の発光タイミングについて図１１および図１２のタイミングチャートを参照して説明する。パワーメータ表示モードが設定されていた場合、制御部５０ａは、図１１に示すようにイグニッションがＯＮとなった時点から時間ｔｓ１だけ経過した時点で内周光源５３を点灯させる。これにより、イグニッションのＯＮから時間ｔｓ１経過後にパワーメータ指標部２１および指針１００が同時に発光する。
【００６５】
タコメータ表示モードが設定されていた場合、制御部５０ａは、図１２に示すようにイグニッションがＯＮとなった時点から時間ｔｓ１だけ経過した時点で軸部光源５２を点灯させる。これにより、イグニッションのＯＮから時間ｔｓ１経過後に指針１００が長針部１５まで発光する。さらに制御部５０ａは、イグニッションのＯＮから時間ｔｓ１＋ｔｓ２だけ経過した時点、換言すれば軸部光源５２の点灯から時間ｔｓ２だけ経過した時点で、外周光源５４を点灯させる。これにより、指針１００の発光から時間ｔｓ２だけ遅れてタコメータ指標部２２が発光を開始する。
【００６６】
次に、第１実施形態の表示装置１が実行する車両起動中における表示モードの切替制御について、図１３のフローチャートを参照しながら説明する。
【００６７】
ステップＳ２０では、切替トリガの入力を検知したか否かを判定する。切替トリガの入力を検知したと判定されると、ステップＳ２１へと進む。
【００６８】
ステップＳ２１では、その時点での表示モードがパワーメータ表示モードであるか否かを判定する。パワーメータ表示モードであると判定された場合には、パワーメータ表示モードからタコメータ表示モードに切り替えるためにステップＳ２２へと進む。
【００６９】
ステップＳ２２では、内周光源５３を消灯する処理と、外周光源５４を点灯する処理とを実行する。この２つの処理は、略同時に実行される。ステップＳ２２の後にはステップＳ２３へと進む。
【００７０】
ステップＳ２３では、切替トリガが検知された時点から時間ｔｃ１だけ経過したか否かを判定する。時間ｔｃ１は、切替トリガが入力されてから指針１００の回動態様がパワーメータ表示からタコメータ表示になるまでの時間として予め設定された時間である。
【００７１】
ステップＳ２２にて時間ｔｃ１が経過したと判定された場合には、ステップＳ２４へと進む。ステップＳ２４では、軸部光源５２を点灯する処理を実行する。ステップＳ２４の実行後図１３のフローチャートを終了する。
【００７２】
一方ステップＳ２１でパワーメータ表示モードではない、すなわちタコメータ表示モードであると判定された場合には、ステップＳ２５へと進む。ステップＳ２５では、軸部光源５２を消灯処理する。
【００７３】
ステップＳ２６では、切替トリガが検知された時点から時間ｔｃ２だけ経過したか否かを判定する。時間ｔｃ２は、切替トリガが入力されてから指針１００の回動態様がタコメータ表示からパワーメータ表示になるまでの時間として予め設定された時間である。
【００７４】
ステップＳ２６にて時間ｔｃ２が経過したと判定された場合には、ステップＳ２７へと進む。ステップＳ２７では、内周光源５３を点灯する処理と、外周光源５４を消灯する処理とを実行する。この２つの処理は、略同時に実行される。ステップＳ２６の実行後図１３のフローチャートを終了する。
【００７５】
図１３のフローチャートの実行に伴う各光源５２、５３、５４の発光タイミングについて図１４のタイミングチャートを参照して説明する。まずパワーメータ表示モードからタコメータ表示モードへと切り替わる場合について説明する。制御部５０ａは、表示モードの切替トリガが入力されたタイミングと略同時のタイミングで、内周光源５３を消灯し、また外周光源５４を点灯する。これにより、パワーメータ指標部２１の発光状態からタコメータ指標部２２の発光状態へと切り替わるように視認される。また、指標部２１、２２の切り替わりと同時に、指針１００が消灯されて視認されない状態となる。
【００７６】
切替トリガの入力から時間ｔｃ１だけ経過すると、制御部５０ａは軸部光源５２を点灯する。これにより、指針１００の指示部１３が長針部１５まで発光し、指針１００によるタコメータ指標部２２の指示が視認される。
【００７７】
次にタコメータ表示モードからパワーメータ表示モードへと切り替わる場合について説明する。制御部５０ａは、表示モードの切替トリガが入力されたタイミングと略同時のタイミングで、軸部光源５２を消灯する。これにより、指針１００が消灯されて視認されない状態となる。
【００７８】
切替トリガの入力から時間ｔｃ２だけ経過すると、制御部５０ａは内周光源５３および外周光源５４を同時に点灯する。これにより、タコメータ指標部２２の発光状態からパワーメータ指標部２１の発光状態へと切り替わるように視認される。また、内周光源５３により指示部１３が短針部１４まで発光し、指針１００によるパワーメータ指標部２１の指示が視認される。
【００７９】
次に第１実施形態の表示装置１が実行する車両停止時における照明制御について、図１５のフローチャートを参照しながら説明する。
【００８０】
ステップＳ３０で、イグニッションがＯＦＦ状態であるか否かを判定する。ＯＦＦ状態であると判定すると、ステップＳ３１へと進む。
【００８１】
ステップＳ３１では、表示モードがパワーメータ表示モードに設定されているか否かを判定する。パワーメータ表示モードに設定されていると判定すると、ステップＳ３２へと進む。
【００８２】
ステップＳ３２では、イグニッションがＯＮからＯＦＦへと切り替わった時点、すなわち車両が起動状態から停止状態に切り替わった時点からの経過時間ｔが、所定時間ｔｅ１に到達したか否かを判定する。ステップＳ３２の判定処理は、経過時間ｔが所定時間ｔｅ１に到達するまで繰り返される。経過時間ｔが所定時間ｔｅ１に到達したと判定した場合には、ステップＳ３３へと進む。
【００８３】
ステップＳ３３では、内周光源５３を消灯する。これにより、指針１００の短針部１４とパワーメータ指標部２１が同時に発光を停止する。ステップＳ３３の処理を実行後、図１５のフローチャートの処理が終了される。
【００８４】
一方ステップＳ３１にて表示モードがパワーメータ表示モードに設定されていない、すなわちタコメータ表示モードに設定されていると判定された場合には、ステップＳ３４へと進む。ステップＳ３４では、ステップＳ３２と同様に、経過時間ｔが所定時間ｔｅ１に到達したか否かを判定する。所定時間ｔｅ１に到達したと判定されると、ステップＳ３５へと進む。
【００８５】
ステップＳ３５では、外周光源５４を消灯させる処理を実行する。これにより、タコメータ指標部２２が発光を停止する。なおこのとき、軸部光源５２は点灯状態である。このため、ステップＳ３５の処理を実行した時点では、表示領域内において指針１００のみが発光により視認可能な状態となる。ステップＳ３５の処理を実行すると、ステップＳ３６へと進む。
【００８６】
ステップＳ３６では、経過時間ｔが、ｔｅ１＋ｔｅ２に到達したか否かを判定する。換言すれば、ステップＳ３６では、軸部光源５２を点灯した時点からｔｅ２だけ時間が経過したか否かを判定する。ステップＳ３６の判定処理は、経過時間ｔがｔｅ１＋ｔｅ２に到達するまで繰り返し実行される。到達したと判定された場合には、ステップＳ３７へと進む。
【００８７】
ステップＳ３７では、軸部光源５２を消灯し、タコメータ指標部２２の発光を停止させる。ステップＳ３７の処理を実行した後、図１５のフローチャートを終了する。
【００８８】
図１５のフローチャートの実行に伴う各光源５２、５３、５４の発光タイミングについて図１６および図１７のタイミングチャートを参照して説明する。パワーメータ表示モードが設定されていた場合、制御部５０ａは、図１６に示すようにイグニッションがＯＮとなった時点から時間ｔｅ１だけ経過した時点で内周光源５３を消灯させる。これにより、イグニッションのＯＦＦから時間ｔｅ１経過後にパワーメータ指標部２１および指針１００が同時に発光を停止する。
【００８９】
タコメータ表示モードが設定されていた場合、制御部５０ａは、図１７に示すようにイグニッションがＯＦＦとなった時点から時間ｔｅ１だけ経過した時点で軸部光源５２を点灯させる。これにより、イグニッションのＯＮから時間ｔｅ１経過後に指針１００の発光が停止する。さらに制御部５０ａは、イグニッションのＯＮから時間ｔｅ１＋ｔｅ２だけ経過した時点、換言すれば軸部光源５２の点灯から時間ｔｅ２だけ経過した時点で、外周光源５４を消灯させる。これにより、指針１００の発光から時間ｔｅ２だけ遅れてタコメータ指標部２２が発光を停止する。
【００９０】
次に第１実施形態の表示装置１の構成と、表示装置１がもたらす作用効果について説明する。
【００９１】
表示装置１は、回転軸線Ｒａを中心として径方向外側に対して異なる長さを有しており、照明光によりそれぞれ発光する二つの導光体を積層関係に配置して構成された指針１００を備える。表示装置１は、光源５２、５３の照明制御を行う制御部５０ａを有する。制御部５０ａは、指針１００の長さの異なる二つの導光体に対する照明光の導光を制御し、指針１００を相対的に長さの短い短針部１４、長さの長い長針部１５として発光させる。表示装置１は、短針部１４によって指示されて照明光により発光するパワーメータ指標部２１および長針部１５によって指示されて照明光により発光するタコメータ指標部２２を有する表示板２０を備える。制御部５０ａは、短針部１４およびパワーメータ指標部２１を発光させるパワーメータ表示モードと、長針部１５およびタコメータ指標部２２を発光させるタコメータ表示モードとの間で表示モードを切り替えるモード切替部５０ａ１を有する。
【００９２】
これによれば、表示装置１は、パワーメータ表示モードにて発光するパワーメータ指標部２１を発光する短針部１４で指示する。表示装置１は、タコメータ表示モードにて発光するタコメータ指標部２２を発光する長針部１５で指示する。表示装置１は、短針部１４と長針部１５とに基づく指標部２１、２２の指示表示モードを切り替えることで、指示する指標部２１、２２に対応して切り替えることができる。以上により、２種類の指標部２１、２２を有する場合において、指示する指標部２１、２２に対応して指針１００の発光領域を切替可能な表示装置１を提供することができる。
【００９３】
制御部５０ａは、表示モードを切り替える際に、切替前の表示モードに対応した指針１００の回動制御から切替後の表示モードに対応した指針１００の回動制御に移行する移行処理を実行する指針制御部５０ａ３と、移行処理が終了したか否かを判定する移行判定部５０ａ４と、を有する。モード切替部５０ａ１は、表示モードを切り替える際に、移行処理が終了したと判定されるまで、軸部光源５２および内周光源５３を消灯する。
【００９４】
これによれば、表示装置１は、表示モードの切り替え時に、指針１００の回動制御の移行処理が終了するまで指針１００を発光させない。したがって、回動制御の移行処理中における指針１００の回動が乗員に視認されることを抑制できる。すなわち、表示モードの切り替え中における指針１００の回動によって乗員に違和感を与えることを抑制することが可能な表示装置１を提供できる。
【００９５】
（第２実施形態）
第２実施形態では、第１実施形態における表示装置１の変形例について説明する。図１８、図１９において第１実施形態の図面中と同一符号を付した構成要素は、同様の構成要素であり、同様の作用効果を奏するものである。
【００９６】
第２実施形態の表示装置１は、表示モード切替時の照明制御が第１実施形態と相違する。第２実施形態において制御部５０ａが実行する表示モードの切替制御について、図１８のフローチャートを参照して説明する。図１８のフローチャートにおいて、ステップＳ２２０、Ｓ２２１の処理は、それぞれ第１実施形態におけるステップＳ２０、Ｓ２１の処理と同様であるので説明を省略する。
【００９７】
ステップＳ２２２では、内周光源５３を消灯する処理と、外周光源５４を点灯する処理と、軸部光源５２を点灯する処理とを実行する。この３つの処理は、略同時に実行される。すなわち、軸部光源５２の点灯と内周光源５３の消灯とを同時に行うので、両方が同時に消灯状態になることがない。換言すれば、指針１００の発光が維持された状態となる。ステップＳ２２２の処理を実行すると図１８のフローチャートを終了する。
【００９８】
一方ステップＳ２２１でパワーメータ表示モードではない、すなわちタコメータ表示モードであると判定された場合には、ステップＳ２２５へと進む。ステップＳ２５では、軸部光源５２を消灯する処理と、内周光源５３を点灯する処理と、外周光源５４を消灯する処理とを実行する。この３つの処理は、略同時に実行される。すなわち、軸部光源５２の消灯と内周光源５３の点灯とを同時に行うので、両方が同時に消灯状態になることがなく、指針１００の発光が維持された状態となる。ステップＳ２２５の処理を実行すると、図１８のフローチャートを終了する。
【００９９】
図１８のフローチャートの実行に伴う各光源５２、５３、５４の発光タイミングについて図１９のタイミングチャートを参照して説明する。まずパワーメータ表示モードからタコメータ表示モードへと切り替わる場合について説明する。制御部５０ａは、表示モードの切替トリガが入力されたタイミングと略同時のタイミングで、内周光源５３を消灯し、また外周光源５４および軸部光源５２を点灯する。これにより、パワーメータ指標部２１の発光状態からタコメータ指標部２２の発光状態へと切り替わるように視認される。また、指標部２１、２２の切り替わりと同時に、指針１００の指示部１３が、短針部１４までの発光状態から長針部１５までの発光状態へと移行し、指針１００によるタコメータ指標部２２の指示が視認される。これにより指針１００の発光が維持された状態で指針１００の発光領域が切り替わり、パワーメータ表示モードからタコメータ表示モードへと切り替わる。
【０１００】
次にタコメータ表示モードからパワーメータ表示モードへと切り替わる場合について説明する。制御部５０ａは、表示モードの切替トリガが入力されたタイミングと略同時のタイミングで、軸部光源５２および外周光源５４を消灯し、同時に内周光源５３を点灯する。これにより、タコメータ指標部２２の発光状態からパワーメータ指標部２１の発光状態へと切り替わるように視認される。また、指標部２１、２２の切り替わりと同時に内周光源５３により指示部１３が短針部１４まで発光し、指針１００によるパワーメータ指標部２１の指示が視認される。これにより指針１００の発光が維持された状態で指針１００の発光領域が切り替わり、タコメータ表示モードからパワーメータ表示モードへと切り替わる。
【０１０１】
モード切替部５０ａ１は、表示モードを切り替える際に、軸部光源５２および内周光源５３の両方を消灯状態にすることなく、指針１００の発光を維持した状態で表示モードの切り替えを実行する。これによれば、表示モードの切り替え時に、指針１００は常に発光された状態で乗員に視認される。例えばパワーメータ表示モードからタコメータ表示モードへと切り替わる場合、指針１００は、短針部１４まで発光している状態から長針部１５まで発光している状態へと、発光状態が途切れることなく移行する。これにより、表示モードを切り替える際に、指針１００の発光状態のスムーズな切替を乗員に視認させることが可能な表示装置１を提供できる。
【０１０２】
（他の実施形態）
この明細書における開示は、例示された実施形態に制限されない。開示は、例示された実施形態と、それらに基づく当業者による変形態様を包含する。例えば、開示は、実施形態において示された部品および／または要素の組み合わせに限定されない。開示は、多様な組み合わせによって実施可能である。開示は、実施形態に追加可能な追加的な部分をもつことができる。開示は、実施形態の部品および／または要素が省略されたものを包含する。開示は、ひとつの実施形態と他の実施形態との間における部品および／または要素の置き換え、または組み合わせを包含する。開示される技術的範囲は、実施形態の記載に限定されない。開示されるいくつかの技術的範囲は、特許請求の範囲の記載によって示され、さらに特許請求の範囲の記載と均等の意味及び範囲内での全ての変更を含むものと解されるべきである。
【０１０３】
上述の実施形態において、短針部１４、長針部１５をそれぞれ照明する光源を、各短針部１４、長針部１５の駆動端側に配置する構成としてもよい。  上述の実施形態において、長針部１５および短針部１４との組合せにおいては、長針部１５側が視認側に位置しているが、その逆として短針部１４が視認側に位置するようにしてもよい。
【０１０４】
また、図４のように、短針部１４の上側に長針部１５を積層し、長針部１５については、長針部１５のうち短針部１４の段差面１６から延出する自由端側の底部のみに反射部１５ｂを形成してもよい。この場合には、長針部１５の全体を発光するためには、反射面１２ａと反射面１２ｂの両方に照明光を入射させる。これにより、短針部１４の反射部１４ｂで反射して視認側に指向する光と、長針部１５の自由端側の反射部１５ｂで反射して視認側に指向する光との合成により長針部１５の全長が発光しているように視認される。  上述の実施形態において、外周光源５４はタコメータ指標部２２を照明し、内周光源５３は、パワーメータ指標部２１を照明する構成であるとした。これに代えて、各指標部２１、２２の少なくとも１つが、別の情報を表示する指標部であってもよい。
【符号の説明】
【０１０５】
１００  指針、  １４  短針部、  １５  長針部、  ２０  表示板、  ２１  パワーメータ指標部（短針側指標部）、  ２２  タコメータ指標部（長針側指標部）、  ５０ａ  制御部、  ５０ａ１  モード切替部、  ５０ａ３  指針制御部、  ５０ａ４  移行判定部、  ５２  軸部光源（長針光源）、  ５３  内周光源（短針光源）、  ５４  外周光源、  Ｒａ  回転軸線。
【図１】
2020016540.tif 000003
【図２】
2020016540.tif 000004
【図３】
2020016540.tif 000005
【図４】
2020016540.tif 000006
【図５】
2020016540.tif 000007
【図６】
2020016540.tif 000008
【図７】
2020016540.tif 000009
【図８】
2020016540.tif 000010
【図９】
2020016540.tif 000011
【図１０】
2020016540.tif 000012
【図１１】
2020016540.tif 000013
【図１２】
2020016540.tif 000014
【図１３】
2020016540.tif 000015
【図１４】
2020016540.tif 000016
【図１５】
2020016540.tif 000017
【図１６】
2020016540.tif 000018
【図１７】
2020016540.tif 000019
【図１８】
2020016540.tif 000020
【図１９】
2020016540.tif 000021